(57)【要約】      （修正有）【課題】ＡＶ通信又はマルチコール用のベアラ切替え手順に基づき、回線交換をサポートしない第１のＲＡＮのベアラを、回線交換をサポートする第２のＲＡＮのベアラに切替えることができない場合でも、切替え手順実施後、第２のＲＡＮのベアラを確立する。【解決手段】移動局が行うＡＶ通信に用いられる、回線交換をサポートしない第１のＲＡＮの第１のベアラから、回線交換をサポートする第２のＲＡＮの第２のベアラへの切替えを行う移動通信方法であって、前記第２のＲＡＮを収容するＣＮ内のノードが、前記第１のＲＡＮを収容する移動伝達ネットワーク内のＭＭＥからの切替え手順による前記切替え指示を受付けるステップと、前記ノードが前記指示に基づく前記切替えの完了検出時に、前記切替え後の前記第２のベアラがＡＶ通信用のベアラでない場合、前記第２のＲＡＮにおいてＡＶ通信用のベアラ確立手順を実施するベアラ確立ステップとを有する。【選択図】図５
2014236349.tif 000002
【特許請求の範囲】
【請求項１】
移動局が行うサービス制御ネットワークを介したＡＶ通信に用いられる、回線交換通信をサポートしていない第１の無線アクセスネットワークにおける第１のベアラから、回線交換通信をサポートしている第２の無線アクセスネットワークにおける第２のベアラへの切替えを行う移動通信方法であって、
前記第２の無線アクセスネットワークを収容するコアネットワーク内の所定のノードが、前記第１の無線アクセスネットワークを収容する移動伝達ネットワーク内の移動管理ノードからの所定の切替え手順による前記切替えの指示を受け付けるステップと、
前記所定のノードが、前記指示に基づく前記切替えの完了を検出したとき、前記切替え後の前記第２のベアラがＡＶ通信を実現するベアラではない場合、前記第２の無線アクセスネットワークにおいてＡＶ通信を実現するベアラの確立手順を実施するベアラ確立ステップとを有する移動通信方法。
【請求項２】
前記ベアラ確立ステップは、
前記移動局が、前記第２の無線アクセスネットワークを介したＡＶ通信を行う能力がある場合、前記確立手順を実施する請求項１記載の移動通信方法。
【請求項３】
前記移動局及び前記所定のノードの少なくともいずれかに前記所定の切替え手順を実施する能力が無い場合、前記指示を受け付けた前記所定のノードが、前記第１のベアラから音声通信を実現する第２のベアラへの切替え手順を実施するステップを有する請求項１又は２記載の移動通信方法。
【請求項４】
前記所定の切替え手順において、前記第２の無線アクセスネットワークにおいて前記ＡＶ通信を実現するベアラのリソースを確保できない場合、前記指示を受け付けた前記所定のノードが、前記第１のベアラから音声通信を実現する第２のベアラへの切替え手順を実施するステップを有する請求項１乃至３のいずれか一項に記載の移動通信方法。
【請求項５】
前記移動局が、前記第１のベアラから前記音声通信を実現する第２のベアラに切り替える場合及び前記第２のベアラから前記第２の無線アクセスネットワークにおいてＡＶ通信を実現するベアラに切り替える場合、ベアラの切替えを当該移動局のユーザに通知するステップを有する請求項１乃至４のいずれか一項に記載の移動通信方法。
【請求項６】
前記第１の無線アクセスネットワークを介したＡＶ通信とともにデータ通信が行われている場合、前記指示に基づく前記所定の切替え手順が実施された結果、前記所定のノードが、前記データ通信に用いられるベアラの前記第１の無線アクセスネットワークから前記第２の無線アクセスネットワークへの切替え失敗を検出したとき、前記第２の無線アクセスネットワークにおいてデータ通信を実現するベアラの確立手順を実施するステップを有する請求項１乃至５のいずれか一項に記載の移動通信方法。
【請求項７】
移動局が行うサービス制御ネットワークを介した音声通信又はＡＶ通信と、データ通信とに用いられる、回線交換通信をサポートしていない第１の無線アクセスネットワークにおけるそれぞれのベアラから、回線交換通信をサポートしている第２の無線アクセスネットワークにおけるベアラへの切り替えを行う移動通信方法であって、
前記第２の無線アクセスネットワークを収容するコアネットワーク内の回線交換機が、前記第１の無線アクセスネットワークを収容する移動伝達ネットワーク内の移動管理ノードからの所定の切替え手順による前記切替えの指示を受け付けるステップと、
前記指示に基づく前記所定の切替え手順が実施された結果、前記コアネットワーク内のパケット交換機が、前記データ通信に用いられるベアラの切替え失敗を検出したとき、前記第２の無線アクセスネットワークにおいてデータ通信を実現するベアラの確立手順を実施するベアラ確立ステップとを有する移動通信方法。
【請求項８】
前記移動局及び前記パケット交換機の少なくともいずれかに前記所定の切替え手順において、前記データ通信に用いられるベアラの切替えを実施する能力が無い場合、前記パケット交換機が、前記データ通信に用いられるベアラを解放する手順を実施するステップを有し、
前記ベアラ確立ステップは、
前記移動局が、前記第２の無線アクセスネットワークを介したデータ通信を行う能力がある場合、前記確立手順を実施する請求項７記載の移動通信方法。
【請求項９】
移動局が行うサービス制御ネットワークを介したＡＶ通信に用いられる、回線交換通信をサポートしていない第１の無線アクセスネットワークにおける第１のベアラから、回線交換通信をサポートしている第２の無線アクセスネットワークにおける第２のベアラへの切替えを行う移動通信システムにおいて、前記第２の無線アクセスネットワークを収容するコアネットワーク内の回線交換機であって、
前記第１の無線アクセスネットワークを収容する移動伝達ネットワーク内の移動管理ノードからの所定の切替え手順による前記切替えの指示を受け付け、
前記指示に基づく前記切替えの完了を検出したとき、前記切替え後の前記第２のベアラがＡＶ通信を実現するベアラではない場合、前記第２の無線アクセスネットワークにおいてＡＶ通信を実現するベアラの確立手順を実施する回線交換機。
【請求項１０】
サービス制御ネットワークを介したＡＶ通信に用いられる、回線交換通信をサポートしていない第１の無線アクセスネットワークにおける第１のベアラから、回線交換通信をサポートしている第２の無線アクセスネットワークにおける第２のベアラへの切替えを行う移動通信システムにおいて、前記ＡＶ通信を行う移動局であって、
前記第１のベアラから音声通信を実現する第２のベアラに切り替える場合及び前記第２のベアラから前記第２の無線アクセスネットワークにおいてＡＶ通信を実現するベアラに切り替える場合、ベアラの切替えを当該移動局のユーザに通知する移動局。
【発明の詳細な説明】
【技術分野】
【０００１】
本発明は、移動通信方法、回線交換機及び移動局に関する。
【背景技術】
【０００２】
従来、２Ｇ／３Ｇ方式の無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）及びＬＴＥ（Ｌｏｎｇ  Ｔｅｒｍ  Ｅｖｏｌｕｔｉｏｎ）方式の無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
また、３ＧＰＰのＴＳ２３．２１６において、Ｅ−ＵＴＲＡＮを介してパケット交換（ＰＳ：Ｐａｃｋｅｔ  Ｓｗｉｔｃｈ）通信により行われているＡＶ（Ａｕｄｉｏ  ＆  Ｖｉｄｅｏ）通信（例えば、ＴＶ電話）の経路を構成するベアラ（ＡＶ通信用ベアラ）を、ＵＴＲＡＮを介した回線交換（ＣＳ：Ｃｉｒｃｕｉｔ  Ｓｗｉｔｃｈ）通信のベアラにハンドオーバ（Ｈａｎｄｏｖｅｒ：ＨＯ）し（切り替え）、かつ通信を継続させる「ｖＳＲＶＣＣ（Ｓｉｎｇｌｅ  Ｒａｄｉｏ  Ｖｉｄｅｏ  Ｃａｌｌ  Ｃｏｎｔｉｎｕｉｔｙ）」という技術が開示されている（非特許文献１参照）。なお、Ｅ−ＵＴＲＡＮを介したＡＶ通信には、ＩＭＳ（ＩＰ  Ｍｕｌｔｉｍｅｄｉａ  Ｓｕｂｓｙｓｔｅｍ）が用いられる。また、Ｅ−ＵＴＲＡＮを介して行われている音声通信（ＶｏＩＰ（Ｖｏｉｃｅ  ｏｖｅｒ  ＩＰ）通信）のベアラ（音声通信用ベアラ）を、ＵＴＲＡＮを介した回線交換通信のベアラに切り替える方式をＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）という。
【先行技術文献】
【非特許文献】
【０００４】
【非特許文献１】３ＧＰＰ  ＴＲ２３．２１６
【発明の概要】
【発明が解決しようとする課題】
【０００５】
しかしながら、例えば、以下に示す要因により、ｖＳＲＶＣＣによる切替えができない場合がある。
【０００６】
・移動局ＵＥ（Ｕｓｅｒ  Ｅｑｕｉｐｍｅｎｔ）がｖＳＲＶＣＣによる切替えを行う能力を有していない又はｖＳＲＶＣＣの機能を有効にする設定にしていない。
【０００７】
・切替え先のコアネットワークがｖＳＲＶＣＣによる切替えに対応していない。
【０００８】
・切替え先の無線アクセスネットワークにおいてリソース不足等のためＡＶ通信用ベアラのリソースを確保できない。
【０００９】
これにより、Ｅ−ＵＴＲＡＮにおけるＡＶ通信用ベアラを構成する映像（ビデオ）ベアラ及び音声ベアラの切替えができず、ＡＶ通信が継続されなかったり、例えばビデオベアラのみが切り替えられず、映像のない音声のみの通信になったりするといった問題があった。
【００１０】
また、Ｅ−ＵＴＲＡＮを介したマルチコール（音声通信又はＡＶ通信とデータ通信とを組み合わせた通信）時にＳＲＶＣＣ（又はｖＳＲＶＣＣ）による切替えを実施する場合、例えば切替え先のネットワークがマルチコール時のＳＲＶＣＣ（又はｖＳＲＶＣＣ）に対応していないと、データ通信を継続できないといった問題が起こり得る。
【００１１】
そこで、本発明は、上記問題に鑑みてなされたものであり、ＡＶ通信又はマルチコール（音声通信又はＡＶ通信及びデータ通信）用のベアラの切替えに関する所定の切替え手順に基づき、回線交換通信をサポートしていない第１の無線アクセスネットワークでの所定の通信用のベアラを、回線交換通信をサポートしている第２の無線アクセスネットワークでの所定の通信用のベアラに切り替えることができなかった場合であっても、所定の切替え手順の実施後、回線交換通信をサポートしている第２の無線アクセスネットワークでの所定の通信用のベアラを確立することを目的とする。
【課題を解決するための手段】
【００１２】
上記の課題を解決するために、本発明の移動通信方法は、移動局が行うサービス制御ネットワークを介したＡＶ通信に用いられる、回線交換通信をサポートしていない第１の無線アクセスネットワークにおける第１のベアラから、回線交換通信をサポートしている第２の無線アクセスネットワークにおける第２のベアラへの切替えを行う移動通信方法であって、前記第２の無線アクセスネットワークを収容するコアネットワーク内の所定のノードが、前記第１の無線アクセスネットワークを収容する移動伝達ネットワーク内の移動管理ノードからの所定の切替え手順による前記切替えの指示を受け付けるステップと、  前記所定のノードが、前記指示に基づく前記切替えの完了を検出したとき、前記切替え後の前記第２のベアラがＡＶ通信を実現するベアラではない場合、前記第２の無線アクセスネットワークにおいてＡＶ通信を実現するベアラの確立手順を実施するベアラ確立ステップとを有するように構成される。
【００１３】
また、本発明の移動通信方法は、移動局が行うサービス制御ネットワークを介した音声通信又はＡＶ通信と、データ通信とに用いられる、回線交換通信をサポートしていない第１の無線アクセスネットワークにおけるそれぞれのベアラから、回線交換通信をサポートしている第２の無線アクセスネットワークにおけるベアラへの切り替えを行う移動通信方法であって、前記第２の無線アクセスネットワークを収容するコアネットワーク内の回線交換機が、前記第１の無線アクセスネットワークを収容する移動伝達ネットワーク内の移動管理ノードからの所定の切替え手順による前記切替えの指示を受け付けるステップと、前記指示に基づく前記所定の切替え手順が実施された結果、前記コアネットワーク内のパケット交換機が、前記データ通信に用いられるベアラの切替え失敗を検出したとき、前記第２の無線アクセスネットワークにおいてデータ通信を実現するベアラの確立手順を実施するベアラ確立ステップとを有するように構成され得る。
【００１４】
また、本発明の回線交換機は、移動局が行うサービス制御ネットワークを介したＡＶ通信に用いられる、回線交換通信をサポートしていない第１の無線アクセスネットワークにおける第１のベアラから、回線交換通信をサポートしている第２の無線アクセスネットワークにおける第２のベアラへの切替えを行う移動通信システムにおいて、前記第２の無線アクセスネットワークを収容するコアネットワーク内の回線交換機であって、前記第１の無線アクセスネットワークを収容する移動伝達ネットワーク内の移動管理ノードからの所定の切替え手順による前記切替えの指示を受け付け、前記指示に基づく前記切替えの完了を検出したとき、前記切替え後の前記第２のベアラがＡＶ通信を実現するベアラではない場合、前記第２の無線アクセスネットワークにおいてＡＶ通信を実現するベアラの確立手順を実施するように構成され得る。
【００１５】
また、本発明の移動局は、サービス制御ネットワークを介したＡＶ通信に用いられる、回線交換通信をサポートしていない第１の無線アクセスネットワークにおける第１のベアラから、回線交換通信をサポートしている第２の無線アクセスネットワークにおける第２のベアラへの切替えを行う移動通信システムにおいて、前記ＡＶ通信を行う移動局であって、前記第１のベアラから音声通信を実現する第２のベアラに切り替える場合及び前記第２のベアラから前記第２の無線アクセスネットワークにおいてＡＶ通信を実現するベアラに切り替える場合、ベアラの切替えを当該移動局のユーザに通知するように構成され得る。
【発明の効果】
【００１６】
本発明の実施の形態によれば、ＡＶ通信又はマルチコール（音声通信又はＡＶ通信及びデータ通信）用のベアラの切替えに関する所定の切替え手順に基づき、回線交換通信をサポートしていない第１の無線アクセスネットワークでの所定の通信用のベアラを、回線交換通信をサポートしている第２の無線アクセスネットワークでの所定の通信用のベアラに切り替えることができなかった場合であっても、所定の切替え手順の実施後、回線交換通信をサポートしている第２の無線アクセスネットワークでの所定の通信用のベアラを確立できる。
【図面の簡単な説明】
【００１７】
【図１】本発明の実施形態における移動通信システムの構成図である。
【図２】従来の移動通信システムの動作を示すシーケンス図である。
【図３】本発明の第１の実施形態における移動通信システムの動作を示すシーケンス図（その１）である。
【図４】本発明の第１の実施形態における移動通信システムの動作を示すシーケンス図（その２）である。
【図５】本発明の第１の実施形態における切替え先のコアネットワークの処理手順例を示すフローチャート図である。
【図６】本発明の第２の実施形態における移動通信システムの動作を示すシーケンス図（その１）である。
【図７】本発明の第２の実施形態における移動通信システムの動作を示すシーケンス図（その２）である。
【図８】本発明の第２の実施形態における切替え先のコアネットワークの処理手順例を示すフローチャート図である。
【図９】本発明の実施形態の変形例における切替え時のＵＥの表示出力例を示す図である。
【発明を実施するための形態】
【００１８】
以下、図面を参照して本発明の実施の形態（以下、本発明の実施形態という。）を説明する。なお、以下で説明する実施形態は一例に過ぎず、本発明が適用される実施形態は、以下の実施形態に限られるわけではない。
【００１９】
[システム構成]
図１は、本発明の実施形態における移動通信システムの構成図である。後述する本発明の第１の実施形態及び第２の実施形態における移動通信システムは、図１に示すシステム構成を有する。
【００２０】
図１に示すように、本発明の実施形態における移動通信システムには、Ｅ−ＵＴＲＡＮ（回線交換通信をサポートしていない第１の無線アクセスネットワーク）と、ＵＴＲＡＮ（回線交換通信をサポートしている第２の無線アクセスネットワーク）とが収容されている。
【００２１】
具体的には、図１に示すように、本発明の実施形態における移動通信システムは、ＵＥ＃１の在圏ネットワークにおいて、ｅＮＢ（無線基地局）、ＲＮＣ（Ｒａｄｉｏ  Ｎｅｔｗｏｒｋ  Ｃｏｎｔｒｏｌｌｅｒ；無線回線制御局）（不図示）、ＮｏｄｅＢ（無線基地局）（不図示）、ＭＭＥ（Ｍｏｂｉｌｉｔｙ  Ｍａｎａｇｅｍｅｎｔ  Ｅｎｔｉｔｙ；移動管理ノード）、Ｓ−ＧＷ（Ｓｅｒｖｉｎｇ−Ｇａｔｅｗａｙ；サービングゲートウェイ装置）、Ｐ−ＧＷ（ＰＤＮ−Ｇａｔｅｗａｙ；ＰＤＮゲートウェイ装置）、Ｐ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）、ＭＳＣ（Ｍｏｂｉｌｅ−ｓｅｒｖｉｃｅ  Ｓｗｉｔｃｈｉｎｇ  Ｃｅｎｔｅｒ；回線交換機）、ＳＧＳＮ（Ｓｅｒｖｉｎｇ  ＧＰＲＳ  Ｓｕｐｐｏｒｔ  Ｎｏｄｅ；パケット交換機）、ＭＳＣサーバ及びＣＳ（Ｃｉｒｃｕｉｔ  Ｓｗｉｔｃｈ）−ＭＧＷ（Ｍｅｄｉａ  Ｇａｔｅｗａｙ）等を有する。ＩＭＳ（ＩＰ  Ｍｕｌｔｉｍｅｄｉａ  Ｓｕｂｓｙｓｔｅｍ、サービス制御ネットワーク）には、ＳＣＣ  ＡＳ及びＩ／Ｓ−ＣＳＣＦ等が含まれる。なお、ＭＭＥは、Ｅ−ＵＴＲＡＮを収容する移動伝達ネットワーク内のノードである。また、ＭＳＣサーバ、ＭＳＣ及びＳＧＳＮは、ＵＴＲＡＮを収容するコアネットワーク内のノードである。
【００２２】
また、本発明の実施形態の移動通信システムが有する上記構成により、Ｅ−ＵＴＲＡＮを介したＵＥ＃１が行うＩＭＳを用いたパケット交換通信によるＡＶ通信用ベアラを、ＵＴＲＡＮを介した回線交換通信によるベアラに切り替えるｖＳＲＶＣＣを実現することができる。
【００２３】
なお、本発明の実施形態における移動通信システムは、ＳＲＶＣＣによりＥ−ＵＴＲＡＮで確立されているＩＭＳを介したパケット交換通信による音声通信用ベアラを、ＵＴＲＡＮを介した回線交換通信によるベアラに切り替えることができる。
【００２４】
また、本発明の実施形態における移動通信システムは、ＳＲＶＣＣ又はｖＳＲＶＣＣにより、ＵＥ＃１の音声通信用ベアラ又はＡＶ通信用ベアラに加えて、Ｅ−ＵＴＲＡＮで確立されているＵＥ＃１の音声通信又はＡＶ通信以外のデータ通信のベアラも、ＵＴＲＡＮを介したベアラに切り替えることができる。
【００２５】
なお、本発明の実施形態における切替え先の無線アクセス方式はＵＴＲＡＮに限らず、例えばＧＥＲＡＮ（ＧＳＭ  ＥＤＧＥ  Ｒａｄｉｏ  Ａｃｃｅｓｓ  Ｎｅｔｗｏｒｋ）や他の無線アクセス方式であってもよい。
【００２６】
また、本発明の実施形態におけるＥ−ＵＴＲＡＮからＵＴＲＡＮへの切替え処理は、３ＧＰＰのＴＲ２３．２３７において規定されているＳＲＶＣＣ改善方式及びｖＳＲＶＣＣ改善方式による切り替え処理においても適用可能である。
【００２７】
また、以下の説明において、パケット交換通信（ＰＳドメインでの通信）、回線交換通信（ＣＳドメインでの通信）のベアラをそれぞれＰＳベアラ、ＣＳベアラという。また、各サービス（ＡＶ通信、音声通信、ビデオ通信（映像のみの通信）、データ通信等）に用いられるベアラを、それぞれ一つのベアラで表す場合、ＡＶベアラ、音声ベアラ、ビデオベアラ、データベアラ等という。但し、ＡＶ通信用ベアラは、複数のベアラの組合せ、すなわち音声ベアラとビデオベアラとの組合せにより実現されてもよい。そして、これらについて、ＰＳ／ＣＳドメインを区別するとき、例えば音声ベアラの場合、ＰＳドメインではＰＳ音声ベアラといい、ＣＳドメインではＣＳ音声ベアラという。
【００２８】
なお、Ｅ−ＵＴＲＡＮを介したパケット交換通信によるＡＶ通信用ベアラには、ＰＳビデオベアラとＰＳ音声ベアラとが含まれる。但し、Ｅ−ＵＴＲＡＮを介したパケット交換通信によるＡＶ通信用ベアラがＰＳビデオベアラのみであってもよい。
【００２９】
また、ＵＴＲＡＮを介したＡＶ通信を実現するベアラは、ＣＳベアラのみの方式又はＣＳベアラとＰＳベアラとを組み合わせる方式等により構成される。ＣＳベアラのみの方式は、例えば３Ｇ−３２４Ｍ規格等により映像（ビデオ）及び音声通信を回線交換通信により行う方式であり、本発明の実施形態におけるＣＳ  ＡＶベアラである。一方、ＣＳベアラとＰＳベアラとを組み合わせる方式は、音声をＡＭＲ（Ａｄａｐｔｉｖｅ  Ｍｕｌｔｉ  Ｒａｔｅ）を用いたＣＳ音声ベアラ、ビデオをＰＳビデオベアラ（又はＰＳデータベアラ）により実現する方式である。また、その他に、ＵＴＲＡＮにおけるＰＳベアラ（ＰＳビデオベアラ及びＰＳ音声ベアラ）により、ＡＶ通信を実現してもよい。本発明は、ＵＴＲＡＮを介したＡＶ通信を実現するベアラの構成に関わらず適用可能である。
【００３０】
また、各ベアラにはＱｏＳ（Ｑｕａｌｉｔｙ  ｏｆ  Ｓｅｒｖｉｃｅ）の設定をすることができる。例えば、Ｅ−ＵＴＲＡＮでは通信の用途等による帯域保証のタイプや遅延時間の程度に基づき、ベアラ毎にＱＣＩ（Ｑｕａｌｉｔｙ  ｏｆ  Ｓｅｒｖｉｃｅ  Ｃｌａｓｓ  Ｉｄｅｎｔｉｆｉｅｒｓ）が設定される。例えば、ＰＳ音声ベアラにはＱＣＩ値「１」が設定される。また、例えば、ＡＶ通信用ベアラを構成するＰＳ音声ベアラにはＱＣＩ値「１」、ＰＳビデオベアラにはＱＣＩ値「２」が設定される。なお、設定されるＱＣＩ値は、上記に限らず、３ＧＰＰ  ＴＳ２３．２０３における各ＱＣＩの定義（例えば、帯域保証タイプか否か、優先度、遅延許容時間等）に基づき任意に設定可能である。
【００３１】
[従来の動作手順]
まず、３ＧＰＰ  ＴＳ２３．２１６の規定に基づく従来のｖＳＲＶＣＣによる切替え手順を説明する。図２に、ＵＥ＃１が行っているＥ−ＵＴＲＡＮを介したＡＶ通信に用いられるベアラ（ＰＳビデオベアラ及びＰＳ音声ベアラ）を、ｖＳＲＶＣＣによりＵＴＲＡＮを介した回線交換通信のベアラ（ＣＳ  ＡＶベアラ）に切り替える手順を示す。
【００３２】
なお、図２の例では、ＵＥ＃１は、Ｅ−ＵＴＲＡＮを介したＡＶ通信以外のデータ通信を行っている。すなわち、図１は、Ｅ−ＵＴＲＡＮにおけるＰＳデータベアラを、ＵＴＲＡＮにおけるＰＳデータベアラに切り替える動作手順を含む。
【００３３】
また、図２に示す動作において説明が省略されている部分は、３ＧＰＰ  ＴＳ２３．２１６に規定されている動作に準拠するものとする。なお、これらの部分は、他の動作であってもよい。
【００３４】
図２の例の初期状態では、上述したように、Ｅ−ＵＴＲＡＮを介したＡＶ通信及び他のデータ通信が行われている。すなわち、ＡＶ通信用ベアラを構成するＰＳビデオベアラ及びＰＳ音声ベアラと、データ通信用ベアラであるＰＳデータベアラとが確立されている。
【００３５】
まず、ＵＥ＃１は、ｅＮＢに「Ｍｅａｓｕｒｅｍｅｎｔ  Ｒｅｐｏｒｔｓ」を送信する（Ｓ１０１）。
【００３６】
ｅＮＢは、受信した「Ｍｅａｓｕｒｅｍｅｎｔ  Ｒｅｐｏｒｔｓ」と確立されているベアラのＱＣＩとに基づき、確立中のベアラ（ＰＳビデオベアラ、ＰＳ音声ベアラ）がＳＲＶＣＣによる切替え対象であると判断した場合、確立中のベアラをＥ−ＵＴＲＡＮからＵＴＲＡＮに切り替えることを決定する（Ｓ１０２）。
【００３７】
そして、ｅＮＢは、ＭＭＥに「Ｈａｎｄｏｖｅｒ  Ｒｅｑｕｉｒｅｄ」を送信する（Ｓ１０３）。なお、「Ｈａｎｄｏｖｅｒ  Ｒｅｑｕｉｒｅｄ」には、ＵＴＲＡＮへの切替え先のドメインを「ＣＳドメインのみ」又は「ＣＳドメイン及びＰＳドメイン」のいずれかを指示するための「ＳＲＶＣＣ  ＨＯ  Ｉｎｄｉｃａｔｉｏｎ」が含まれるようにしてもよい。すなわち「ＳＲＶＣＣ  ＨＯ  Ｉｎｄｉｃａｔｉｏｎ」により、例えば、ＰＳビデオベアラ及びＰＳ音声ベアラをＣＳ  ＡＶベアラに切り替えるか又はＰＳ音声ベアラのみをＣＳ音声ベアラ（又はＵＴＲＡＮにおけるＰＳ音声ベアラ）に切り替えるかを指示することができる。ここで、図２の例では、「ＳＲＶＣＣ  ＨＯ  Ｉｎｄｉｃａｔｉｏｎ」には、ＰＳビデオベアラ及びＰＳ音声ベアラをＣＳ  ＡＶベアラに切り替えるように指示する情報が設定されているものとする。
【００３８】
ＭＭＥは、「Ｈａｎｄｏｖｅｒ  Ｒｅｑｕｉｒｅｄ」を受信すると、各ＰＳベアラのＱＣＩに基づき、ＣＳドメインへの切替えを行う対象のベアラとＰＳドメインへの切替えを行う対象のベアラとに分離する（Ｓ１０４）。なお、ＰＳビデオベアラがｖＳＲＶＣＣによる切替え対象のＰＳベアラであることを示す「ｖＳＲＶＣＣ情報」を有する場合、そのＰＳビデオベアラはＣＳドメインへの切替え対象のベアラとして分離される。
【００３９】
そして、ＭＭＥは、ＭＳＣサーバに対して、ＰＳビデオベアラ及びＰＳ音声ベアラをｖＳＲＶＣＣによりＣＳ  ＡＶベアラに切り替えるように要求する「ＰＳ  ｔｏ  ＣＳ  Ｒｅｑｕｅｓｔ」を送信する（Ｓ１０５ａ）。
【００４０】
ＭＳＣサーバは、「ＰＳ  ｔｏ  ＣＳ  Ｒｅｑｕｅｓｔ」に基づきｖＳＲＶＣＣによる切り替えの要求であることを検出すると、最後に確立された切り替え対象のベアラが、音声ベアラであるのか又は音声ベアラ及びビデオベアラであるのかについてＩＭＳに対して確認を行い、ＵＴＲＡＮのおけるＣＳベアラリソースを確保する処理を実行する（Ｓ１０５ｂ１）。
【００４１】
そして、ＭＳＣサーバは、ＭＳＣに対して、ＰＳビデオベアラ及びＰＳ音声ベアラをＣＳ  ＡＶベアラに切り替える準備処理を要求する「Ｐｒｅｐａｒｅ  ＨＯ  Ｒｅｑｕｅｓｔ」を送信する（Ｓ１０５ｂ２）。
【００４２】
ＭＳＣは、「Ｐｒｅｐａｒｅ  ＨＯ  Ｒｅｑｕｅｓｔ」を受信すると、ＵＴＲＡＮに対して、ＣＳ  ＡＶベアラ（例えば、ＢＳ３０ベアラ）リソースを確保するように要求する「Ｒｅｌｏｃａｔｉｏｎ／ＨＯ  Ｒｅｑｕｅｓｔ」を送信する（Ｓ１０５ｃ）。
【００４３】
また、ステップＳ１０５ａ〜Ｓ１０５ｃの処理と平行して、ＭＭＥは、ＳＧＳＮに対して、ＡＶ通信以外のその他のＰＳデータベアラを切り替えるように要求する「Ｆｏｒｗａｒｄ  Ｒｅｌｏｃａｔｉｏｎ  Ｒｅｑｕｅｓｔ」を送信する（Ｓ１０６ａ）。
【００４４】
そして、ＳＧＳＮは、ＵＴＲＡＮに対して、ＵＴＲＡＮにおけるＰＳデータベアラリソースを確保するように要求する「Ｒｅｌｏｃａｔｉｏｎ／ＨＯ  Ｒｅｑｕｅｓｔ」を送信する（Ｓ１０６ｂ）。
【００４５】
ＵＴＲＡＮは、ＳＧＳＮに対して、ＳＧＳＮから要求されたＰＳデータベアラリソースの確保に成功したことを通知する「Ｒｅｌｏｃａｔｉｏｎ／ＨＯ  Ｒｅｑｕｅｓｔ  Ａｃｋｎｏｗｌｅｄｇｅ」を送信する（Ｓ１０７ａ）。
【００４６】
そして、ＳＧＳＮは、ＭＭＥに対して、「Ｆｏｒｗａｒｄ  Ｒｅｌｏｃａｔｉｏｎ  Ｒｅｓｐｏｎｓｅ」を送信する（Ｓ１０７ｂ）。
【００４７】
一方、ＵＴＲＡＮは、ステップＳ１０５ｃにおいてＭＳＣから送信された「Ｒｅｌｏｃａｔｉｏｎ／ＨＯ  Ｒｅｑｕｅｓｔ」に応じて、ＣＳ  ＡＶベアラリソースの確保を実施し、ＭＳＣに対して、ＣＳ  ＡＶベアラリソースの確保に成功したことを通知する「Ｒｅｌｏｃａｔｉｏｎ／ＨＯ  Ｒｅｑｕｅｓｔ  Ａｃｋｎｏｗｌｅｄｇｅ」を送信する（Ｓ１０８ａ）。
【００４８】
ＭＳＣは、ＭＳＣサーバに対して、「Ｐｒｅｐａｒｅ  ＨＯ  Ｒｅｓｐｏｎｓｅ」を送信し（Ｓ１０８ｂ）、ＭＳＣとＭＳＣサーバとの間で回線が確立される（Ｓ１０８ｃ）。
【００４９】
その後、ＭＳＣサーバは、ＩＭＳに対して、「Ｉｎｉｔｉａｔｉｏｎ  ｏｆ  Ｓｅｓｓｉｏｎ  Ｔｒａｎｓｆｅｒ（ＳＴＮ−ＳＲ）」を送信する。
【００５０】
ＩＭＳは、「Ｉｎｉｔｉａｔｉｏｎ  ｏｆ  Ｓｅｓｓｉｏｎ  Ｔｒａｎｓｆｅｒ（ＳＴＮ−ＳＲ）」に含まれるビデオのＳＤＰ（Ｓｅｓｓｉｏｎ  Ｄｅｓｃｒｉｐｔｉｏｎ  Ｐｒｏｔｏｃｏｌ）に基づき、ｖＳＲＶＣＣによる切替えであることを検出する。
【００５１】
次に、ＩＭＳは、Ｒｅｍｏｔｅ  Ｌｅｇを更新することで、ＣＳ  Ａｃｃｅｓｓ  Ｌｅｇ接続上で音声セッション及びビデオセッションを移送する（Ｓ１１０）。そして、ＩＭＳは、音声セッションに用いられていたＩＭＳ  Ａｃｃｅｓｓ  Ｌｅｇ接続に関するリソースを解放する（Ｓ１１１）。
【００５２】
一方、ＭＳＣサーバは、ステップＳ１０９の処理後、ＭＭＥに対して、ＣＳ  ＡＶベアラリソースが確保されたことを示す情報を含む「ＰＳ  ｔｏ  ＣＳ  Ｒｅｓｐｏｎｓｅ」を送信する(Ｓ１１２)。
【００５３】
ＭＭＥは、ｅＮＢに対して、Ｅ−ＵＴＲＡＮにおいて確立されているベアラのＵＴＲＡＮへの切替えを指示する「ＨＯ  Ｃｏｍｍａｎｄ」を送信する（Ｓ１１３）。
【００５４】
ｅＮＢは、ＵＥ＃１に対して、Ｅ−ＵＴＲＡＮにおいて確立されているベアラのＵＴＲＡＮへの切替えを指示する「ＨＯ  ｆｒｏｍ  Ｅ−ＵＴＲＡＮ  Ｃｏｍｍａｎｄ」を送信する（Ｓ１１４）。
【００５５】
ＵＥ＃１は、受信した「ＨＯ  ｆｒｏｍ  Ｅ−ＵＴＲＡＮ  Ｃｏｍｍａｎｄ」に基づきｖＳＲＶＣＣによる切替えであることを検出し、Ｅ−ＵＴＲＡＮにおけるＰＳビデオベアラ及びＰＳ音声ベアラを、ＵＴＲＡＮにおけるＣＳ  ＡＶベアラに切り替える。なお、ＡＶ通信用ベアラ以外のデータ通信用ベアラ（ＰＳデータベアラ）が存在する場合、同様にＰＳデータベアラをＥ−ＵＴＲＡＮからＵＴＲＡＮに切り替える（Ｓ１１５）。
【００５６】
その後、ＵＥ＃１は、ＵＴＲＡＮを介して、ＭＳＣに対して切替え（ハンドオーバ）処理の完了を示す「ＨＯ  Ｃｏｍｐｌｅｔｅ」を送信する（Ｓ１１６）。
【００５７】
ＵＴＲＡＮは、ＭＳＣに対して、「Ｒｅｌｏｃａｔｉｏｎ／ＨＯ  Ｃｏｍｐｌｅｔｅ」を送信し（Ｓ１１７ａ）、ＭＳＣは、ＭＳＣサーバに対して、「ＳＥＳ（ＨＯ  Ｃｏｍｐｌｅｔｅ）」を送信する（Ｓ１１７ｂ）。そして、ＭＳＣは、ＭＳＣサーバに対して、ＣＳベアラを確立する手順の完了を示す「Ａｎｓｗｅｒ」を通知する（Ｓ１１７ｃ）。
【００５８】
ＭＭＥは、ＭＳＣサーバから送信されたＣＳベアラへの切り替え完了の通知を受信すると、その通知に対する応答として、「ＰＳ  ｔｏ  ＣＳ  Ｃｏｍｐｌｅｔｅ  Ａｃｋｎｏｗｌｅｄｇｅ」をＭＳＣサーバに送信する（Ｓ１１７ｄ）。
【００５９】
以降のステップＳ１１７ｄ１〜Ｓ１１８ｅの動作は、３ＧＰＰ  ＴＳ２３．８８６に規定されている動作と同様である。なお、ステップＳ１１７ｄ１〜Ｓ１１８ｅの動作は、その他の規定に従って適切な切り替え処理を継続する動作であってもよい。
【００６０】
上記動作手順により、Ｅ−ＵＴＲＡＮを介したＡＶ通信のベアラ（ＰＳビデオベアラ及びＰＳ音声ベアラ）を、ｖＳＲＶＣＣによりＵＴＲＡＮを介した回線交換通信のベアラ（ＣＳ  ＡＶベアラ）に切り替えることができる。なお、ＡＶ通信以外のデータ通信（ＰＳデータベアラ）が行われている場合も上記動作手順によりＥ−ＵＴＲＡＮからＵＴＲＡＮに切り替えることができる。このように、ｖＳＲＶＣＣによりＥ−ＵＴＲＡＮを介したＡＶ通信を切替え後のＵＴＲＡＮにおいても継続することができる。
【００６１】
しかしながら、ｖＳＲＶＣＣによる切替えにおいて、Ｅ−ＵＴＲＡＮにおけるＡＶ通信用ベアラ（ＰＳビデオベアラ及びＰＳ音声ベアラ）をＵＴＲＡＮにおけるＣＳ  ＡＶベアラに切り替えることができない場合には、図２の例のステップＳ１１５の処理以降において、ＵＴＲＡＮにおけるＡＶ通信用のＣＳ  ＡＶベアラが確立できなくなる。
【００６２】
なお、ｖＳＲＶＣＣによりＣＳ  ＡＶベアラに切り替えることができない場合は、上述したように、ＵＥ＃１がｖＳＲＶＣＣ能力を有していない、切替え先のＭＳＣサーバやＭＳＣ等のコアネットワークがｖＳＲＶＣＣ能力を有していない又は切替え先のＵＴＲＡＮにおいてリソース不足等のためＣＳ  ＡＶベアラのリソースを確保できない等の理由により起こり得る。
〔第１の実施形態〕
次に、本発明の第１の実施形態における動作手順を説明する。
【００６３】
第１の実施形態における移動通信システムは、ｖＳＲＶＣＣによりＣＳ  ＡＶベアラに切り替えることができない場合であっても、一時的にＣＳ音声ベアラに切り替え、その後、ＣＳ  ＡＶベアラへの確立を可能とする。
【００６４】
[動作手順]
図３に、第１の実施形態におけるＵＥ＃１がｖＳＲＶＣＣ能力を有していない又は切替え先のＭＳＣサーバやＭＳＣ等のコアネットワークがｖＳＲＶＣＣ能力を有していない場合のｖＳＲＶＣＣによる切替え手順を示す。
【００６５】
また、図４に、第１の実施形態における切替え先のＵＴＲＡＮにおいてＣＳ  ＡＶベアラのリソースを確保できない場合のｖＳＲＶＣＣによる切替え手順を示す。
【００６６】
なお、図３及び図４において、図２に示した処理と同一の処理には同一のステップ番号を付与しており、これらの詳細な説明は省略する。
【００６７】
また、図３及び図４において、ＡＶ通信以外の他のデータ通信用のＰＳデータベアラの切替え処理が含まれる例を示すが、本発明は、このようなＰＳデータベアラの切替え処理の有無によらず適用可能である。
【００６８】
＜ＵＥ又は切替え先コアネットワークにｖＳＲＶＣＣ能力が無い場合＞
図３に示すように、ＭＳＣサーバは、ステップＳ１０５ａにおいて受信する「ＰＳ  ｔｏ  ＣＳ  Ｒｅｑｕｅｓｔ」又はステップＳ１０５ｂ１においてＩＭＳからＵＥ＃１のｖＳＲＶＣＣ能力情報を取得する。ここで、ＵＥ＃１は、Ａｔｔａｃｈ又はＴＡＵ（Ｔｒａｃｋｉｎｇ  Ａｒｅａ  Ｕｐｄａｔｅ）時にＭＭＥに対してＵＥ＃１のｖＳＲＶＣＣ能力情報を通知し、以降の処理でＨＳＳ（Ｈｏｍｅ  Ｓｕｂｓｃｒｉｂｅｒ  Ｓｅｒｖｅｒ）にｖＳＲＶＣＣ能力情報が登録される。そのため、ＭＭＥが、ＨＳＳからの取得等により「ＰＳ  ｔｏ  ＣＳ  Ｒｅｑｕｅｓｔ」にｖＳＲＶＣＣ能力情報を含まれるような構成としてもよい。また、ＭＳＣサーバがＩＭＳを介してＨＳＳからＵＥ＃１のｖＳＲＶＣＣ能力情報を取得するような構成としてもよい。
【００６９】
ステップＳ２０１において、ＭＳＣサーバは、ＵＴＲＡＮにおいてリソースを確保する対象のＣＳベアラを選択する。
【００７０】
ここで、ＵＥ＃１がｖＳＲＶＣＣ能力を有していない場合（ステップＳ１０５ａ又はステップＳ１０５ｂ１においてｖＳＲＶＣＣ能力情報が取得不可であった場合を含む）又は切替え先のコアネットワーク（ＭＳＣサーバやＭＳＣ等）がｖＳＲＶＣＣ能力を有してない（ｖＳＲＶＣＣによる切替えに対応していない）場合、ステップＳ１０５ｂ２において、ＭＳＣサーバは、ＭＳＣに対して、ＰＳビデオベアラ及びＰＳ音声ベアラをＣＳ音声ベアラに切り替える準備処理を要求する「Ｐｒｅｐａｒｅ  ＨＯ  Ｒｅｑｕｅｓｔ」を送信する。
【００７１】
ステップＳ１０５ｃにおいて、ＭＳＣは、ＵＴＲＡＮに対して、ＣＳ音声ベアラリソースを確保するように要求する「Ｒｅｌｏｃａｔｉｏｎ／ＨＯ  Ｒｅｑｕｅｓｔ」を送信する。
【００７２】
ステップＳ１０８ａにおいて、ＵＴＲＡＮは、ＣＳ音声ベアラリソースの確保を実施し、ＭＳＣに対して、ＣＳ音声ベアラリソースの確保に成功したことを通知する「Ｒｅｌｏｃａｔｉｏｎ／ＨＯ  Ｒｅｑｕｅｓｔ  Ａｃｋｎｏｗｌｅｄｇｅ」を送信する。
【００７３】
ステップＳ１０８ｂにおいて、ＭＳＣは、ＭＳＣサーバに対して、ＣＳ音声ベアラリソースの確保に成功したことを通知する「Ｐｒｅｐａｒｅ  ＨＯ  Ｒｅｓｐｏｎｓｅ」を送信する。
【００７４】
そして、ステップ１１５において、ＵＥ＃１は、「ＨＯ  ｆｒｏｍ  Ｅ−ＵＴＲＡＮ  Ｃｏｍｍａｎｄ」を受信すると、Ｅ−ＵＴＲＡＮにおけるＰＳビデオベアラをＵＴＲＡＮにおけるＣＳ音声ベアラに切り替える。なお、ＡＶ通信用ベアラ以外のデータ通信用ベアラ（ＰＳデータベアラ）が存在する場合、同様にＰＳデータベアラをＥ−ＵＴＲＡＮからＵＴＲＡＮに切り替える。
【００７５】
上記動作手順により、本発明の第１の実施形態における移動通信システムは、ＵＥ＃１又は切替え先のコアネットワークにｖＳＲＶＣＣ能力が無い場合、Ｅ−ＵＴＲＡＮにおけるＡＶ通信用のＰＳビデオベアラ及びＰＳ音声ベアラを、ＵＴＲＡＮにおけるＣＳ音声ベアラに切り替える。
【００７６】
なお、このようにＵＴＲＡＮにおけるＣＳ音声ベアラに切り替わった場合、ＡＶ通信に含まれる音声のみの通信が行われる（映像通信は行われない）状態となる。
【００７７】
そして、ステップＳ１１７ｂにおいてＭＳＣサーバが「ＳＥＳ（ＨＯ  Ｃｏｍｐｌｅｔｅ）」を受信すると、ＵＥ＃１のＵＴＲＡＮでのＡＶ通信の能力有無（ＵＥ＃１がＵＴＲＡＮでのＡＶ通信に対応しているか否か）を示す情報を含む「ＵＥ  ｃａｐａｂｉｌｉｔｙ」を参照する。「ＵＥ  ｃａｐａｂｉｌｉｔｙ」は、ＵＥ＃１のＡｔｔａｃｈ又はＴＡＵ時にＨＳＳに登録される情報であり、例えばＭＳＣサーバがＩＭＳ等を経由して「ＵＥ  ｃａｐａｂｉｌｉｔｙ」を取得するような構成としてもよい。または、上記ステップＳ１０５ａ又はステップＳ１０５ｂ１の処理において、ＵＥ＃１の「ＵＥ  ｃａｐａｂｉｌｉｔｙ」を取得するような構成としてもよい。
【００７８】
ここで、ＵＥ＃１がＵＴＲＡＮでのＡＶ通信能力を有している場合、ステップＳ２０３ａにおいて、ＭＳＣサーバは、ＣＳ  ＡＶベアラの確立手順を開始する。具体的には、ＭＳＣサーバは、ＭＳＣに対して、ＣＳ  ＡＶベアラリソースの確保を要求する「Ｖｉｄｅｏ  ｂｅａｒｅｒ  ｅｓｔａｂｌｉｓｈｍｅｎｔ」を送信する。
【００７９】
ステップＳ２０３ｂにおいて、ＭＳＣは、ＵＴＲＡＮに対して、ＣＳ  ＡＶベアラリソースの確保を要求する「Ｖｉｄｅｏ  ｂｅａｒｅｒ  ｅｓｔａｂｌｉｓｈｍｅｎｔ」を送信する。
【００８０】
ステップＳ２０４において、ＵＴＲＡＮは、ＵＥ＃１に対して、ＣＳ  ＡＶベアラの確立（ＣＳ  ＡＶベアラへの切替え）を要求する「Ｖｉｄｅｏ  ｂｅａｒｅｒ  ｅｓｔａｂｌｉｓｈｍｅｎｔ」を送信する。
【００８１】
ステップＳ２０５において、ＵＥ＃１は、確立しているＣＳ音声ベアラからＣＳ  ＡＶベアラへの切替えを行う。
【００８２】
上記動作手順により、本発明の第１の実施形態における移動通信システムは、ｖＳＲＶＣＣによる切替えができない場合、Ｅ−ＵＴＲＡＮにおけるＡＶ通信用のＰＳビデオベアラ及びＰＳ音声ベアラを、ＵＴＲＡＮにおけるＣＳ音声ベアラに切替える。そして、移動通信システムは、切替え先のコアネットワーク内のノードであるＭＳＣサーバ（又はＭＳＣ等）がＣＳ音声ベアラへの切替えの完了通知を受信すると、ＵＥ＃１のＵＴＲＡＮにおけるＡＶ通信能力がある場合、確立しているＣＳ音声ベアラをＣＳ  ＡＶベアラに切り替える手順を実施する。
【００８３】
これにより、ｖＳＲＶＣＣによる切替えができない場合であっても、一時的に（ステップＳ１１５〜Ｓ２０４の間）ＵＴＲＡＮでのＣＳ音声ベアラのみを用いた音声通信により通信を継続し、その後、ＵＥ＃１がＵＴＲＡＮでのＡＶ通信に対応している場合、ＣＳ  ＡＶベアラに切り替え、ＡＶ通信を行うことができる。
【００８４】
＜切替え先ＵＴＲＡＮにおいてＣＳ  ＡＶベアラリソースを確保できない場合＞
図４において、図３に示した処理と同一の処理には同一のステップ番号を付与しており、これらの詳細な説明は省略する。
【００８５】
図４の例では、ステップＳ１０５ａ又はステップＳ１０５ｂ１において取得されたｖＳＲＶＣＣ能力情報に、ＵＥ＃１がｖＳＲＶＣＣ能力を有することを示す情報が含まれる場合である。また、図４の例では、切替え先のコアネットワーク（ＭＳＣサーバやＭＳＣ等）がｖＳＲＶＣＣ能力を有している（ｖＳＲＶＣＣによる切替えに対応している）場合である。
【００８６】
図４に示すように、ステップＳ２０１において、ＭＳＣサーバは、ＵＴＲＡＮにおいてリソースを確保する対象のＣＳベアラを選択する。
【００８７】
ここで、ＵＥ＃１及び切替え先のコアネットワーク（ＭＳＣサーバやＭＳＣ等）がｖＳＲＶＣＣ能力を有しているため、ステップＳ１０５ｂ２において、ＭＳＣサーバは、ＭＳＣに対して、ＰＳビデオベアラ及びＰＳ音声ベアラをＣＳ  ＡＶベアラに切り替える準備処理を要求する「Ｐｒｅｐａｒｅ  ＨＯ  Ｒｅｑｕｅｓｔ」を送信する。
【００８８】
ステップＳ１０５ｃにおいて、ＭＳＣは、ＵＴＲＡＮに対して、ＣＳ  ＡＶベアラリソースを確保するように要求する「Ｒｅｌｏｃａｔｉｏｎ／ＨＯ  Ｒｅｑｕｅｓｔ」を送信する。
【００８９】
ここで、ＵＴＲＡＮが（例えばＵＴＲＡＮ内のＲＮＣ等の輻輳等を起因とした）リソース不足等によりＣＳ  ＡＶベアラリソースの確保が失敗（エラー）し、ＣＳ音声ベアラリソースが確保された場合、ステップＳ１０８ａにおいて、ＵＴＲＡＮは、ＭＳＣに対して、要求されたＣＳ  ＡＶベアラリソースの確保が失敗したことを示すエラー理由（例えばＵＴＲＡＮのリソース不足等）及びＣＳ音声ベアラリソースの確保を通知する「Ｒｅｌｏｃａｔｉｏｎ／ＨＯ  Ｒｅｑｕｅｓｔ  Ａｃｋｎｏｗｌｅｄｇｅ」を送信する。
【００９０】
ステップＳ１０８ｂにおいて、ＭＳＣは、ＭＳＣサーバに対して、ＵＴＲＡＮは、ＭＳＣに対して、要求されたＣＳ  ＡＶベアラリソースの確保が失敗したことを示すエラー理由及びＣＳ音声ベアラリソースの確保を通知する「Ｐｒｅｐａｒｅ  ＨＯ  Ｒｅｓｐｏｎｓｅ」を送信する。
【００９１】
以降、ステップＳ１０８ｃ〜Ｓ２０３ｂの動作手順は、図３に示す動作手順と同じである。
【００９２】
ステップＳ２０３ｃにおいて、ＵＴＲＡＮが、ＭＳＣサーバから送信されたＣＳ  ＡＶベアラリソースの確保を要求する「Ｖｉｄｅｏ  ｂｅａｒｅｒ  ｅｓｔａｂｌｉｓｈｍｅｎｔ」を受信すると、ＵＴＲＡＮの状態が復旧しているか否か（ＵＴＲＡＮのリソース不足が解消されているか否か等）を検出する。
【００９３】
そして、ＵＴＲＡＮにおいてＣＳ  ＡＶベアラリソースを確保できた場合、ステップＳ２０４において、ＵＴＲＡＮは、ＵＥ＃１に対して、ＣＳ  ＡＶベアラの確立を要求する「Ｖｉｄｅｏ  ｂｅａｒｅｒ  ｅｓｔａｂｌｉｓｈｍｅｎｔ」を送信する。
【００９４】
なお、ステップＳ２０３ｃにおいて、ＵＴＲＡＮが復旧していない場合、すなわちＵＴＲＡＮにおいてＣＳ  ＡＶベアラリソースを確保できない場合、ＵＴＲＡＮは所定の時間経過後（所定のタイマが満了するまで）ＣＳ  ＡＶベアラリソースの確保を試み、ＣＳ  ＡＶベアラリソースが確保できた場合、ステップＳ２０４の処理を実施する。なお、ステップＳ２０３ｃにおいて、ＵＴＲＡＮが復旧していない場合、ステップＳ２０４の処理を実施しないような動作（ＣＳ音声ベアラでの音声通信を継続する動作）としてもよい。
【００９５】
上記動作手順により、本発明の第１の実施形態における移動通信システムは、ＵＴＲＡＮがＣＳ  ＡＶベアラリソースを確保できず、ｖＳＲＶＣＣによるＣＳ  ＡＶベアラへの切替えができない場合であっても、その後、ＵＴＲＡＮが復旧していれば（ＣＳ  ＡＶベアラリソースが確保できるようになれば）、ＣＳ  ＡＶベアラを確立できる。
【００９６】
[フローチャート（コアネットワークの処理手順）]
次に、図５に示すフローチャート図に基づき、第１の実施形態でのＥ−ＵＴＲＡＮにおけるＰＳビデオベアラをｖＳＲＶＣＣによりＵＴＲＡＮにおけるＣＳベアラに切り替える場合のコアネットワーク内のノードであるＭＳＣサーバの処理手順例を説明する。なお、図５に示す処理手順は、切替え先となるコアネットワーク内のノードであれば、ＭＳＣサーバに限らず、ＭＳＣ（ＭＳＣがＭＳＣサーバの機能を具備する場合を含む）又は他のノードにおいて実施されてもよい。
【００９７】
図５の例の初期状態では、ＵＥ＃１はＥ−ＵＴＲＡＮを介したＡＶ通信が行っており、すなわちＥ−ＵＴＲＡＮにおいてＡＶ通信用のＰＳビデオベアラ及びＰＳ音声ベアラが確立されている状態である。また、図５に示す処理手順は、図３及び図４に示したステップＳ１０５ａ以降の処理手順が相当する。
【００９８】
図５に示すように、ＭＳＣサーバは、ＭＭＥから「ＰＳ  ｔｏ  ＣＳ  Ｒｅｑｕｅｓｔ」を受信する（Ｓ１００１）と、受信した「ＰＳ  ｔｏ  ＣＳ  Ｒｅｑｕｅｓｔ」に基づきｖＳＲＶＣＣによる切り替えの要求であることを検出する（Ｓ１００２）。
【００９９】
次に、ＭＳＣサーバは、ＵＥ＃１及びＭＳＣサーバを含むコアネットワークのｖＳＲＶＣＣ能力情報を取得する（Ｓ１００３）。そして、ＵＥ＃１にｖＳＲＶＣＣ能力が有るか否かが判定される（Ｓ１００４）。
【０１００】
ここで、ＵＥ＃１にｖＳＲＶＣＣ能力が有ると判定された場合（ステップＳ１００４においてＹＥＳ）、コアネットワークにｖＳＲＶＣＣ能力が有るか否かが判定される（Ｓ１００５）。
【０１０１】
そして、コアネットワークにｖＳＲＶＣＣ能力が有ると判定された場合（ステップＳ１００５においてＹＥＳ）、ＵＴＲＡＮにおけるリソースを確保する対象のベアラとして、ＣＳ  ＡＶベアラが選択される（Ｓ１００６）。
【０１０２】
一方、ステップＳ１００４において、ＵＥ＃１にｖＳＲＶＣＣ能力が無いと判定された場合（ステップＳ１００４においてＮＯ）又は、ステップＳ１００５において、コアネットワークにｖＳＲＶＣＣ能力が無いと判定された場合（ステップＳ１００５においてＮＯ）、ＵＴＲＡＮにおけるリソースを確保する対象のベアラとして、ＣＳ音声ベアラが選択される（Ｓ１００７）。
【０１０３】
ステップＳ１００６又はステップＳ１００７の処理後、ＭＳＣサーバは、ＭＳＣに対して、「Ｐｒｅｐａｒｅ  ＨＯ  Ｒｅｑｕｅｓｔ」を送信する（Ｓ１００８）。「Ｐｒｅｐａｒｅ  ＨＯ  Ｒｅｑｕｅｓｔ」には、ステップＳ１００６又はステップＳ１００７において選択された確保対象のリソースが指定されている。
【０１０４】
そして、「Ｐｒｅｐａｒｅ  ＨＯ  Ｒｅｑｕｅｓｔ」に対する応答として、ＭＳＣから送信された「Ｐｒｅｐａｒｅ  ＨＯ  Ｒｅｓｐｏｎｓｅ」に基づき、ＵＴＲＡＮにおいて確保されたリソースを特定する（Ｓ１００９）。なお、例えばＵＴＲＡＮにおけるリソース不足等の要因により、ＣＳ  ＡＶベアラリソースを確保できず、ＣＳ音声リソースが確保された場合、ステップＳ１００９において、確保されたリソースがＣＳ音声リソースであると特定される。
【０１０５】
その後、ＭＳＣサーバは、ＵＥから送信された切替え完了通知である「ＨＯ  Ｃｏｍｐｌｅｔｅ（ＳＥＳ（ＨＯ  Ｃｏｍｐｌｅｔｅ））」を、ＵＴＲＡＮ及びＭＳＣを介して受信する（Ｓ１０１０）。そして、ＵＴＲＡＮにおいて確立されたベアラ（ＰＳビデオベアラから切り替えられたベアラ）がＣＳ  ＡＶベアラであるか又はＣＳ音声ベアラであるかが判定される（Ｓ１０１１）。
【０１０６】
ここで、ＵＴＲＡＮにおいて確立されたベアラがＣＳ音声ベアラの場合、ＵＥ＃１の「ＵＥ  ｃａｐａｂｉｌｉｔｙ」を参照し、ＵＥ＃１がＵＴＲＡＮでのＡＶ通信を行う能力が有るか否か（ＵＴＲＡＮでのＡＶ通信に対応しているか否か）を判定する（Ｓ１０１２）。
【０１０７】
ここで、ＵＥ＃１がＵＴＲＡＮでのＡＶ通信を行う能力が有ると判定された場合（ステップＳ１０１２においてＹＥＳ）、ＭＳＣサーバは、ＭＳＣに対して、ＣＳ  ＡＶベアラリソースの確保を要求する「Ｖｉｄｅｏ  ｂｅａｒｅｒ  ｅｓｔａｂｌｉｓｈｍｅｎｔ」を送信する（Ｓ１０１３）。
【０１０８】
一方、ステップＳ１０１１において、ＵＴＲＡＮにおいて確立されたベアラがＣＳ  ＡＶベアラの場合又はステップＳ１０１２においてＵＥ＃１がＵＴＲＡＮでのＡＶ通信を行う能力が無いと判定された場合（ステップＳ１０１２においてＮＯ）、ＭＳＣサーバは、ＭＭＥに対して、ＳＲＶＣＣによる切替えの完了を通知する「ＳＲＶＣＣ  ＰＳ  ｔｏ  ＣＳ  Ｃｏｍｐｌｅｔｅ  Ｎｏｔｉｆｉｃａｔｉｏｎ」を送信する（Ｓ１０１４）。
【０１０９】
上記処理手順により、本発明の第１の実施形態の切替え先のコアネットワーク内のノード（ＭＳＣサーバ（又はＭＳＣ））は、ｖＳＲＶＣＣによる切替えが不可である場合であっても、ＵＴＲＡＮにおけるＣＳ音声ベアラの確立後、ＣＳ  ＡＶベアラへの切替え手順を実施できる。一方、ｖＳＲＶＣＣによる切替えが可能である場合（ＰＳビデオベアラからＣＳ  ＡＶベアラに直接切り替えられた場合）、通常の３ＧＰＰ  ＴＳ２３．２１６の規定に基づくｖＳＲＶＣＣによる切替え手順が実施される。
【０１１０】
なお、ステップＳ１０１１において、ＵＴＲＡＮにおいてＣＳ音声ベアラ及びＣＳ  ＡＶベアラのいずれも確立されていない場合、ステップＳ１０１２の処理が実施されるようにしてもよい。
【０１１１】
また、ステップＳ１０１１において、ＣＳ音声ベアラが確立されている場合、ステップＳ１０１２におけるＵＥ＃１のＵＴＲＡＮでのＡＶ通信能力有無の判定を実施せず、ステップＳ１０１３の処理が実施されるようにしてもよい。この場合、ＣＳ  ＡＶベアラが確立できるか否かは、ＵＥ＃１の動作に依存するような構成となる。例えば、ＵＥ＃１がＣＳＡＶ通信の能力が無い場合、ＵＥ＃１からのＣＳ  ＡＶベアラの確立失敗のエラーをＭＳＣサーバが待ち受けるような動作となる。
〔第２の実施形態〕
第２の実施形態では、Ｅ−ＵＴＲＡＮにおけるマルチコール（音声通信又はＡＶ通信とデータ通信とを組み合わせた通信）が行われている場合、ＳＲＶＣＣ（ｖＳＲＶＣＣ）による切替え時のデータ通信用のＰＳベアラ（ＰＳデータベアラ）のＵＴＲＡＮへの切替えができない場合の動作を説明する。なお、以下の説明において、Ｅ−ＵＴＲＡＮを介した音声通信（又はＡＶ通信）のＳＲＶＣＣ（又はｖＳＲＶＣＣ）による切替えは可能であるものとする。
【０１１２】
第２の実施形態の移動通信システムは、Ｅ−ＵＴＲＡＮにおける音声通信（又はＡＶ通信）以外のデータ通信用のＰＳベアラをＵＴＲＡＮに切り替えることができない場合であっても、ＳＲＶＣＣ（又はｖＳＲＶＣＣ）による切替え後、ＵＴＲＡＮにおけるＰＳベアラの確立を試みる手順を実施する。
【０１１３】
なお、以下、Ｅ−ＵＴＲＡＮを介したＡＶ通信及び他のデータ通信のマルチコールが行われている際のｖＳＲＶＣＣによる切替え手順の例を説明するが、音声通信及びデータ通信のマルチコール（ＳＲＶＣＣによる切替え）の場合にも本発明の適用が可能である。
【０１１４】
[動作手順]
図６に、第２の実施形態におけるＵＥ＃１又は切替え先コアネットワーク（ＳＧＳＮ）がマルチコール中のｖＳＲＶＣＣ切替え時のＰＳベアラの切替え能力を有していない場合のｖＳＲＶＣＣによる切替え手順を示す。
【０１１５】
また、図７に、第２の実施形態における切替え先のＵＴＲＡＮにおいてＰＳベアラのリソースを確保できない場合のｖＳＲＶＣＣによる切替え手順を示す。
【０１１６】
なお、図６及び図７において、図２に示した処理と同一の処理には同一のステップ番号を付与しており、これらの詳細な説明は省略する。
【０１１７】
＜ＵＥ又は切替え先コアネットワークにｖＳＲＶＣＣ能力が無い場合＞
図６に示すステップＳ１０１〜Ｓ１０６ａの動作手順は、図２に示した動作手順と同一である。
【０１１８】
ステップＳ３０１において、ＳＧＳＮは、ＭＭＥから送信された「Ｒｅｌｏｃａｔｉｏｎ／ＨＯ  Ｒｅｑｕｅｓｔ」を受信すると、ＵＥ＃１又はコアネットワーク（ＳＧＳＮ）がｖＳＲＶＣＣによる切替え時のＰＳベアラ切替え能力が無い場合（ＰＳベアラの切替えに対応していない場合）、ＭＭＥに対して、ＵＴＲＡＮにおけるＰＳベアラリソースの確保失敗のエラー理由を含む「Ｆｏｒｗａｒｄ  Ｒｅｌｏｃａｔｉｏｎ  Ｒｅｓｐｏｎｓｅ」を送信する（Ｓ１０７ｂ）。なお、ステップＳ３０１における「Ｒｅｌｏｃａｔｉｏｎ／ＨＯ  Ｒｅｑｕｅｓｔ」には、ＵＥ＃１がｖＳＲＶＣＣ切替え時におけるＰＳベアラ切替え能力を示す情報が含まれるように構成してもよい。
【０１１９】
ステップＳ１１５において、ＵＥ＃１は、Ｅ−ＵＴＲＡＮにおけるＡＶ通信用のＰＳビデオベアラ及びＰＳ音声ベアラを、ＵＴＲＡＮにおけるＣＳ  ＡＶベアラに切り替えるが、ＰＳデータベアラの切替えは実施されない。すなわち、Ｅ−ＵＴＲＡＮで行われていたデータ通信用のＰＳデータベアラは、ステップＳ１１５の時点で確立されていない。
【０１２０】
そして、ステップＳ３０２において、ＵＴＲＡＮは、ＳＧＳＮに対して、ＰＳベアラの切替え失敗を示す「Ｒｅｌｏｃａｔｉｏｎ／ＨＯ  ｎｏｔｉｆｉｃａｔｉｏｎ」を送信する。
【０１２１】
ステップＳ３０３においてＳＧＳＮが「Ｒｅｌｏｃａｔｉｏｎ／ＨＯ  ｎｏｔｉｆｉｃａｔｉｏｎ」を受信すると、ＵＥ＃１のＵＴＲＡＮにおけるＰＳ通信の能力有無（ＵＴＲＡＮにおけるＰＳ通信に対応しているか否か）を示す情報を含む「ＵＥ  ｃａｐａｂｉｌｉｔｙ」を参照する。「ＵＥ  ｃａｐａｂｉｌｉｔｙ」は、ＵＥ＃１のＡｔｔａｃｈ又はＴＡＵ時にＨＳＳに登録される情報であり、上記ステップＳ１０６ａの処理において、ＵＥ＃１の「ＵＥ  ｃａｐａｂｉｌｉｔｙ」を取得するような構成としてもよい。
【０１２２】
ここで、ＵＥ＃１がＵＴＲＡＮにおけるＰＳ通信能力を有している場合、ステップＳ３０４において、ＳＧＳＮは、ＰＳベアラの確立手順を開始する。具体的には、ＳＧＳＮは、ＵＴＲＡＮに対して、ＰＳベアラリソースの確保を要求する「ＰＳ  ｂｅａｒｅｒ  ｅｓｔａｂｌｉｓｈｍｅｎｔ」を送信する。
【０１２３】
ステップＳ３０５において、ＵＴＲＡＮは、ＵＥ＃１に対して、ＰＳベアラの確立を要求する「ＰＳ  ｂｅａｒｅｒ  ｅｓｔａｂｌｉｓｈｍｅｎｔ」を送信する。
【０１２４】
ステップＳ３０６において、ＵＥ＃１は、ＰＳベアラを確立する。
【０１２５】
そして、ステップＳ３０７において、ＵＥ＃１は、ＵＴＲＡＮに対して、ＰＳベアラの確立完了を通知する「ＰＳ  ｂｅａｒｅｒ  ｅｓｔａｂｌｉｓｈｍｅｎｔ」を送信する。
【０１２６】
上記動作手順により、本発明の第１の実施形態における移動通信システムは、マルチコール中のｖＳＲＶＣＣ切替え時のＵＴＲＡＮにおけるＰＳベアラへの切替えができない場合、一旦（ステップＳ１１５時点）データ通信は切断されるが、その後、ＵＥ＃１がＵＴＲＡＮでのＰＳ通信に対応している場合、ＵＴＲＡＮにおけるＰＳベアラを確立し、データ通信を行うことができる。
【０１２７】
なお、データ通信用のＰＳベアラが確立されていない間（ステップＳ１１５〜Ｓ３０５）、ＵＥ＃１からの上りリンクデータをＵＴＲＡＮが受信した場合、上りリンクデータの受信を契機に、ＵＴＲＡＮにおけるＰＳベアラの確立手順が開始される。
【０１２８】
＜切替え先ＵＴＲＡＮにおいてＰＳベアラリソースを確保できない場合＞
図７において、図６に示した処理と同一の処理には同一のステップ番号を付与しており、これらの詳細な説明は省略する。
【０１２９】
図７の例では、ＵＥ＃１及び切替え先のコアネットワーク（ＳＧＳＮ）がｖＳＲＶＣＣによる切替え時のＰＳベアラ切替え能力を有している場合である。
【０１３０】
図７に示すように、ステップＳ３０１において、ＵＥ＃１及びコアネットワーク（ＳＧＳＮ）がｖＳＲＶＣＣによる切替え時のＰＳベアラ切替え能力を有していると判定された場合（ＰＳベアラの切替えに対応している場合）、ステップＳ１０６ｂにおいて、ＵＴＲＡＮに対して、ＵＴＲＡＮにおけるＰＳベアラリソースの確保を要求する「Ｒｅｌｏｃａｔｉｏｎ／ＨＯ  Ｒｅｑｕｅｓｔ」を送信する（Ｓ１０６ｂ）。
【０１３１】
ここで、ＵＴＲＡＮが（例えばＵＴＲＡＮの輻輳等を起因とした）リソース不足等によりＰＳベアラリソースの確保が失敗（エラー）し、ＵＴＲＡＮにおけるＰＳベアラリソースの確保が失敗した場合、ステップＳ１０７ａにおいて、ＵＴＲＡＮは、ＳＧＳＮに対して、要求されたＰＳベアラリソースの確保が失敗したことを示すエラー理由（例えばＵＴＲＡＮのリソース不足等）を通知する「Ｒｅｌｏｃａｔｉｏｎ／ＨＯ  Ｒｅｑｕｅｓｔ  Ａｃｋｎｏｗｌｅｄｇｅ」を送信する。
【０１３２】
ステップＳ１０７ｂにおいて、ＳＧＳＮは、ＭＭＥに対して、要求されたＰＳベアラリソースの確保が失敗したことを示すエラー理由を通知する「Ｆｏｒｗａｒｄ  Ｒｅｌｏｃａｔｉｏｎ  Ｒｅｓｐｏｎｓｅ」を送信する。
【０１３３】
以降、ステップＳ１０８ａ〜Ｓ３０４の動作手順は、図６に示す動作手順と同じである。
【０１３４】
ステップＳ３０４ａにおいて、ＵＴＲＡＮが、ＳＧＳＮから送信されたＰＳベアラリソースの確保を要求する「ＰＳ  ｂｅａｒｅｒ  ｅｓｔａｂｌｉｓｈｍｅｎｔ」を受信すると、ＵＴＲＡＮの状態が復旧しているか否か（ＵＴＲＡＮのリソース不足が解消されているか否か等）を検出する。
【０１３５】
そして、ＵＴＲＡＮにおいてＰＳベアラリソースを確保できた場合、ステップＳ３０５において、ＵＴＲＡＮは、ＵＥ＃１に対して、ＵＴＲＡＮにおけるＰＳベアラの確立を要求する「ＰＳ  ｂｅａｒｅｒ  ｅｓｔａｂｌｉｓｈｍｅｎｔ」を送信する。
【０１３６】
上記動作手順により、本発明の第２の実施形態における移動通信システムは、ＵＴＲＡＮがＰＳベアラリソースを確保できず、ｖＳＲＶＣＣによる切替え時にＵＴＲＡＮにおけるＰＳベアラへの切替えができない場合であっても、一旦（ステップＳ１１５時点）データ通信は切断されるが、その後、ＵＴＲＡＮが復旧していれば（ＰＳベアラリソースが確保できるようになれば）、ＵＥ＃１がＵＴＲＡＮでのＰＳ通信に対応している場合、ＵＴＲＡＮにおけるＰＳベアラを確立し、データ通信を行うことができる。
【０１３７】
[フローチャート（コアネットワークの処理手順）]
次に、図８に示すフローチャート図に基づき、第２の実施形態でのＥ−ＵＴＲＡＮを介したマルチコール中のｖＳＲＶＣＣ切替え時にＰＳベアラをＵＴＲＡＮに切り替える場合のコアネットワーク内のノードであるＳＧＳＮの処理手順例を説明する。なお、図８に示す処理手順は、切替え先となるコアネットワーク内のノードであれば、ＳＧＳＮに限らず、他のノードにおいて実施されてもよい。
【０１３８】
図８の例の初期状態では、ＵＥ＃１はＥ−ＵＴＲＡＮを介したマルチコール（ＡＶ通信及び他のデータ通信）を行っており、すなわちＥ−ＵＴＲＡＮにおいてＡＶ通信用のＰＳビデオベアラ及びＰＳ音声ベアラと他のデータ通信用のＰＳデータベアラとが確立されている状態である。また、図８に示す処理手順は、図６及び図７に示したステップＳ２０６ａ以降の処理手順が相当する。
【０１３９】
図８に示すように、ＳＧＳＮは、ＭＭＥから「Ｆｏｒｗａｒｄ  Ｒｅｌｏｃａｔｉｏｎ  Ｒｅｑｕｅｓｔ」を受信する（Ｓ２００１）と、ＵＥ＃１及びＳＧＳＮを含むコアネットワークのｖＳＲＶＣＣによる切替え時のＰＳベアラ切替え能力を取得する（Ｓ２００２）。そして、ＵＥ＃１にｖＳＲＶＣＣによる切替え時のＰＳベアラ切替え能力が有るか否かが判定される（Ｓ２００３）。
【０１４０】
ここで、ＵＥ＃１にｖＳＲＶＣＣによる切替え時のＰＳベアラ切替え能力が有ると判定された場合（ステップＳ２００３においてＹＥＳ）、コアネットワークにｖＳＲＶＣＣによる切替え時のＰＳベアラ切替え能力が有るか否かが判定される（Ｓ２００４）。
【０１４１】
そして、コアネットワークにｖＳＲＶＣＣによる切替え時のＰＳベアラ切替え能力が有ると判定された場合（ステップＳ２００４においてＹＥＳ）、ＵＴＲＡＮに対して、「Ｒｅｌｏｃａｔｉｏｎ／ＨＯ  Ｒｅｑｕｅｓｔ（ＰＳベアラリソース確保要求）」を送信する（Ｓ２００５）。
【０１４２】
次に、ＵＴＲＡＮから送信された「Ｒｅｌｏｃａｔｉｏｎ／ＨＯ  Ｒｅｑｕｅｓｔ  Ａｃｋｎｏｗｌｅｄｇｅ」に基づき、ＵＴＲＡＮにおいてＰＳベアラリソースの確保が成功した否かを判定する（Ｓ２００６）。
【０１４３】
ここで、ＵＴＲＡＮにおいてＰＳベアラリソースの確保が成功した場合（ステップＳ２００６においてＹＥＳ）、ＭＭＥに対して、「Ｆｏｒｗａｒｄ  Ｒｅｌｏｃａｔｉｏｎ  Ｒｅｓｐｏｎｓｅ（ＵＴＲＡＮにおけるＰＳベアラリソース確保成功）」を通知する（Ｓ２２０７）。
【０１４４】
一方、ステップＳ２００３において、ＵＥ＃１にｖＳＲＶＣＣによる切替え時のＰＳベアラ切替え能力が無いと判定された場合（ステップＳ２００３においてＮＯ）、ステップＳ２００４において、コアネットワークにｖＳＲＶＣＣによる切替え時のＰＳベアラ切替え能力が無いと判定された場合（ステップＳ２００４においてＮＯ）又はステップＳ２００６において、ＵＴＲＡＮにおけるＰＳベアラリソースの確保が失敗した場合（ステップＳ２００６においてＮＯ）、ＭＭＥに対して、「Ｆｏｒｗａｒｄ  Ｒｅｌｏｃａｔｉｏｎ  Ｒｅｓｐｏｎｓｅ（ＵＴＲＡＮにおけるＰＳベアラリソース確保失敗）」を通知する（Ｓ２２０８）。
【０１４５】
ここで、ステップＳ２２０７の処理後、ＳＧＳＮは、ＵＴＲＡＮからＵＴＲＡＮにおけるＰＳベアラへの切替え完了を示す「Ｒｅｌｏｃａｔｉｏｎ  ＨＯ  Ｃｏｍｐｌｅｔｅ」を受信したか否かを判定する（Ｓ２００９）。
【０１４６】
ここで、Ｒｅｌｏｃａｔｉｏｎ  ＨＯ  Ｃｏｍｐｌｅｔｅ」を受信した場合（ステップＳ２００９においてＹＥＳ）、ＭＭＥに対して、「Ｆｏｒｗａｒｄ  Ｒｅｌｏｃａｔｉｏｎ  Ｃｏｍｐｌｅｔｅ  Ａｃｋｎｏｗｌｅｄｇｅ」を送信する（Ｓ２０１０）。以降、図２におけるステップＳ１１８ｃ以降の処理が実施される。
【０１４７】
一方、ステップＳ２００８の後又はステップＳ２００９において、Ｒｅｌｏｃａｔｉｏｎ  ＨＯ  Ｃｏｍｐｌｅｔｅ」を受信していない場合（ステップＳ２００９においてＮＯ）、ＳＧＳＮは、ＵＴＲＡＮから「Ｒｅｌｏｃａｔｉｏｎ  ＨＯ  Ｎｏｔｉｆｉｃａｔｉｏｎ（ＰＳベアラ切替え失敗）」を受信する（Ｓ２０１１）。
【０１４８】
そして、ＵＥ＃１がＵＴＲＡＮにおけるＰＳ通信を行う能力が有るか否か（ＵＴＲＡＮでのＰＳ通信に対応しているか否か）を判定する（Ｓ２０１２）。
【０１４９】
ここで、ＵＥ＃１がＵＴＲＡＮにおけるＰＳ通信を行う能力が有ると判定された場合（ステップＳ２０１２においてＹＥＳ）、ＳＧＳＮは、ＵＴＲＡＮに対して、ＰＳベアラリソースの確保を要求する「ＰＳ  ｂｅａｒｅｒ  ｅｓｔａｂｌｉｓｈｍｅｎｔ」を送信する（Ｓ２０１３）。
【０１５０】
一方、ステップＳ２０１２において、ＵＥ＃１がＵＴＲＡＮにおけるＰＳ通信を行う能力が無いと判定された場合（ステップＳ２０１２においてＮＯ）、処理は終了する。
【０１５１】
上記処理手順により、本発明の第２の実施形態の切替え先のコアネットワーク内のノード（ＳＧＳＮ）は、ｖＳＲＶＣＣによる切替え時のＰＳベアラ切替えができない場合であっても、ＰＳベアラのデータ通信の切断後、ＵＥ＃１がＵＴＲＡＮでのＰＳ通信に対応している場合、ＵＴＲＡＮにおけるＰＳベアラを確立し、データ通信を行うことができる。
【０１５２】
なお、第１の実施形態及び第２の実施形態における動作手順を組み合わせることも可能である。
〔変形例〕
本発明の実施形態の変形例におけるＵＥは、ＵＥのユーザに対して、ベアラの切り替わりを表示出力し、通知を行う。
【０１５３】
ＵＥがユーザに対する表示出力を行う契機は、例えば第１の実施形態の場合、ＵＥ＃１がｅＮＢからＣＳ音声ベアラへの切替えを指示する「ＨＯ  ｆｒｏｍ  Ｅ−ＵＴＲＡＮ  Ｃｏｍｍａｎｄ」を受信した時（図３又は図４のステップＳ１１４）及びＵＥ＃１がＵＴＲＡＮから「Ｖｉｄｅｏ  ｂｅａｒｅｒ  ｅｓｔａｂｌｉｓｈｍｅｎｔ」を受信した時（図３又は図４のステップＳ２０４）である。なお、表示出力を行う契機は、ベアラの切替え処理時である図３又は図４のステップＳ１１５及びステップＳ２０５等であってもよい。
【０１５４】
また、ＵＥ＃１に送信される信号である「ＨＯ  ｆｒｏｍ  Ｅ−ＵＴＲＡＮ  Ｃｏｍｍａｎｄ」及び「Ｖｉｄｅｏ  ｂｅａｒｅｒ  ｅｓｔａｂｌｉｓｈｍｅｎｔ」には、ユーザに対する表示出力を実施させるための所定の情報を含めるように構成してもよい。
【０１５５】
ここで、図９に、ユーザに対する表示出力の方法として、ＵＥの画面にベアラの切替え通知を表示する例を示す。
【０１５６】
図９（ａ）は、ＡＶ通信中の状態（図３又は図４の初期状態〜ステップＳ１１３）において表示される画面である。
【０１５７】
図９（ｂ）は、ＵＥ＃１がｅＮＢからＣＳ音声ベアラへの切替えを指示する「ＨＯ  ｆｒｏｍ  Ｅ−ＵＴＲＡＮ  Ｃｏｍｍａｎｄ」を受信した時（図３又は図４のステップＳ１１４）に表示される画面であり、ＡＶ通信が音声通信に切り替わる旨が通知される。
【０１５８】
図９（ｃ）は、音声通信中の状態（図３又は図４のステップＳ１１５〜Ｓ２０３ｂ）において表示される画面である。
【０１５９】
図９（ｄ）は、ＵＥ＃１がＵＴＲＡＮからＣＳ  ＡＶベアラへの切替えを要求する「Ｖｉｄｅｏ  ｂｅａｒｅｒ  ｅｓｔａｂｌｉｓｈｍｅｎｔ」を受信した時（図３又は図４のステップＳ２０４）に表示される画面である。図９（ｄ）に示すように、音声通信がＡＶ通信に切り替わる旨が通知される。
【０１６０】
なお、図９に示す画面は一例であって、例えば、通信に用いられるネットワーク（Ｅ−ＵＴＲＡＮ又はＵＴＲＡＮや、ＬＴＥ又は２Ｇ／３Ｇ等）を示す情報や、通信中のベアラの種別（ＰＳベアラ又はＣＳベアラ）を示す情報が含まれるようにしてもよい。
【０１６１】
なお、ＵＥがユーザに対する表示出力を行う方法は、ＵＥの画面を用いた通知に限らず、例えば、ベアラの切替え時に所定の音を出力したり、ＵＥが有するバイブレーション機能により振動させたりしてもよい。
【０１６２】
なお、本発明の実施形態の変形例は、第１の実施形態に限らず、第２の実施形態におけるベアラの状態が変化する時にも適用可能である。
【０１６３】
以上、本発明の実施形態について詳述したが、本発明はかかる特定の実施形態に限定されるものではなく、特許請求の範囲に記載された本発明の要旨の範囲内において、種々の変形、変更が可能である。
【符号の説明】
【０１６４】
ＵＥ＃１、ＵＥ＃２          移動局
Ｅ−ＵＴＲＡＮ、ＵＴＲＡＮ  無線アクセスネットワーク
ｅＮＢ                      無線基地局
ＭＭＥ                      移動管理ノード
ＳＧＳＮ                    パケット交換機
ＭＳＣサーバ、ＭＳＣ        回線交換機
Ｓ−ＧＷ、Ｐ−ＧＷ          ゲートウェイ装置
【図１】
2014236349.tif 000003
【図２】
2014236349.tif 000004
【図３】
2014236349.tif 000005
【図４】
2014236349.tif 000006
【図５】
2014236349.tif 000007
【図６】
2014236349.tif 000008
【図７】
2014236349.tif 000009
【図８】
2014236349.tif 000010
【図９】
2014236349.tif 000011